(57)【特許請求の範囲】
【請求項１】
統制局と、前記統制局に接続された基地局と、前記基地局と無線通信を行う端末局とを備えた無線通信システムにおいて、
前記統制局は、前記端末局の動作に関わる設定ファイルの送信指示を、低速の送信方式又は高速の送信方式の指定とともに前記基地局へ送信し、
前記基地局は、前記設定ファイルの送信指示及び送信方式の指定を受信すると、低速の送信方式が指定された場合は、無線回線の接続制御のための制御チャネルを利用して、前記設定ファイルを前記端末局へ送信し、高速の送信方式が指定された場合は、通話のための通信チャネルを利用して、前記設定ファイルを前記端末局へ送信する、
ことを特徴とする無線通信システム。
【請求項２】
前記統制局は、複数ある基地局のいずれの配下に前記端末局が存するかを示す位置情報を保持しており、当該位置情報に基づいて、前記端末局を配下に有する基地局から前記設定ファイルを送信させる、
ことを特徴とする請求項１に記載の無線通信システム。
【請求項３】
前記位置情報は、前記端末局の移動に応じて更新され、
前記統制局は、前記設定ファイルの送信中に前記位置情報が更新された場合には、更新後の前記位置情報に基づいて、前記設定ファイルの送信に使用する基地局を変更してその後の送信を継続する、
ことを特徴とする請求項２に記載の無線通信システム。
【請求項４】
前記統制局は、前記設定ファイルの送信指示を、所定の時間又は回数に到達するまで前記基地局へ繰り返して送信する、
ことを特徴とする請求項１乃至請求項３のいずれかに記載の無線通信システム。
【請求項５】
前記統制局は、前記設定ファイルの送信後に、前記設定ファイルの適用指示を前記基地局から前記端末局へ送信させ、
前記端末局は、前記設定ファイルの適用指示を受信したことに応じて、受信済みの前記設定ファイルの適用を行う、
ことを特徴とする請求項１乃至請求項４のいずれかに記載の無線通信システム。
【請求項６】
前記統制局は、前記設定ファイルのバージョン情報の要求指示を前記基地局から前記端末局へ送信させ、
前記端末局は、前記設定ファイルのバージョン情報の要求指示を受信したことに応じて、現在適用中の前記設定ファイルのバージョン情報を前記基地局を通じて前記統制局へ送信し、
前記統制局は、前記端末局から受信したバージョン情報を表示する、
ことを特徴とする請求項１乃至請求項５のいずれかに記載の無線通信システム。
【発明の詳細な説明】
【技術分野】
【０００１】
本発明は、無線通信システムにおける遠隔ダウンロード制御に関する。
【背景技術】
【０００２】
従来、災害等の発生時に緊急的な無線通信を行えるようにした防災無線システムが実用に供されている。防災無線システムは、概略的に、統制局や基地局を有する統制局設備と、移動局や固定端末局といった端末局を有する端末局設備とにより構成されている。
【０００３】
このような防災無線システムに関し、特許文献１には、非常時には特定のグループに対して専用的に通信スロットを割り当てつつ、当該通信スロットが常に占有されたままの状態になることを防止するようにした無線通信システムが開示されている。
【先行技術文献】
【特許文献】
【０００４】
【特許文献１】特開２０１４−０６０６５９号公報
【発明の概要】
【発明が解決しようとする課題】
【０００５】
端末局は、各種のプログラム、コンフィグファイル等の定義ファイル、電話帳データ等に基づいて動作しており、端末局の動作に関わるこれらの設定ファイルに変更が生じた場合、変更された設定ファイルを端末局に読み込んで適用させる更新作業を必要がある。
従来の防災無線システムでは、統制局は無線回線を介して端末局の設定ファイルの更新作業を行うことができなかった。そのため、端末局の設定ファイルに変更が生じた場合には、保守員が個々の端末局がある場所まで出向き、変更後の設定ファイルを格納しておいた保守端末を端末局に接続し、保守端末を操作して端末局に対する設定ファイルの更新作業を行っていた。
【０００６】
しかしながら、端末局毎に設定ファイルの更新を行う必要があるため、端末局が大量（例えば数百台）にある場合には、全ての端末局の更新作業を終えるのに膨大な時間がかかっていた。また、更新作業中の端末局は保守モードとなるため、その間は端末局を運用することができなかった。
【０００７】
本発明は、上記のような従来の事情に鑑みて為されたものであり、変更された設定ファイルを端末局に読み込んで適用させる更新作業を効率よく実施することができる無線通信システムを提供することを目的としている。
【課題を解決するための手段】
【０００８】
本発明では、上記目的を達成するために、無線通信システムを以下のように構成した。
すなわち、統制局と、統制局に接続された基地局と、基地局と無線通信を行う端末局とを備えた無線通信システムにおいて、統制局は、端末局の動作に関わる設定ファイルの送信指示を、低速の送信方式又は高速の送信方式の指定とともに基地局へ送信し、基地局は、設定ファイルの送信指示及び送信方式の指定を受信すると、設定ファイルを指定された送信方式に従って端末局へ送信する。
【０００９】
このような構成により、変更された設定ファイルを送信して端末局に読み込ませる作業を、保守員が端末局の設置場所に赴くことなく実施することができる。しかも、低速の送信方式又は高速の送信方式のいずれかで設定ファイルの送信を行うことができる。なお、例えば、低速の送信方式の場合は、制御チャネルのＰＣＨに設定ファイルを格納して送信することで、設定ファイルの送信に際して端末局を保守モードに移行させる必要が無く、端末局の運用を停止せずに済む。また、例えば、高速の送信方式の場合は、通信チャネルのＦＡＣＣＨに設定ファイルを格納して送信することで、ＰＣＨを用いる場合に比べて高速に設定ファイルの送信を行うことができる。
【００１０】
ここで、一構成例として、統制局は、複数ある基地局のいずれの配下に端末局が存するかを示す位置情報を保持しており、当該位置情報に基づいて、端末局を配下に有する基地局から設定ファイルを送信させるようにしてもよい。
これにより、対象となる端末局を配下に有する基地局だけを用いて設定ファイルの送信を行うことが可能となり、少ない無線リソースを有効に活用できるとともに、運用に対する影響も限定的にすることができる。
【００１１】
また、上記の構成例において、更に、位置情報は、端末局の移動に応じて更新され、統制局は、設定ファイルの送信中に位置情報が更新された場合には、更新後の位置情報に基づいて、設定ファイルの送信に使用する基地局を変更してその後の送信を継続するようにしてもよい。
これにより、設定ファイルの送信中に端末局が基地局間を移動した場合でも設定ファイルの送信を継続するうことができ、運用に影響を与えずに設定ファイルの送信を行うことができる。
【００１２】
また、一構成例として、統制局は、設定ファイルの送信指示を、所定の時間又は回数に到達するまで基地局へ繰り返して送信するようにしてもよい。
これにより、基地局と端末局の間が無線区間でありながら、設定ファイルをより確実に端末局へ送信できるようになる。
【００１３】
また、一構成例として、統制局は、設定ファイルの送信後に、設定ファイルの適用指示を基地局から端末局へ送信させ、端末局は、設定ファイルの適用指示を受信したことに応じて、受信済みの設定ファイルの適用を行うようにしてもよい。
これにより、端末局に送信した変更後の設定ファイルを適用する作業を、保守員が端末局の設置場所に赴くことなく実施することができる。なお、設定ファイルの更新指示は、設定ファイルの送信後に直ちに行ってもよく、設定ファイルの送信後に時間を置いて（例えば、端末局が運用されていないと想定される時間を見計らって）行ってもよい。
【００１４】
また、一構成例として、統制局は、設定ファイルのバージョン情報の要求指示を基地局から端末局へ送信させ、端末局は、設定ファイルのバージョン情報の要求指示を受信したことに応じて、現在適用中の設定ファイルのバージョン情報を基地局を通じて統制局へ送信し、統制局は、端末局から受信したバージョン情報を表示するようにしてもよい。
これにより、統制局の操作者は、端末局に適用されている設定ファイルのバージョンを確認することができ、設定ファイルが正常に更新されたか等を把握できるようになる。
【発明の効果】
【００１５】
本発明に係る無線通信システムによれば、変更された設定ファイルを端末局に読み込んで適用させる更新作業を効率よく実施することができる。
【図面の簡単な説明】
【００１６】
【図１】本発明の一実施形態に係る無線通信システムのシステム構成例を示す図である。
【図２】図１の無線通信システムにおける統制局の構成例を示す図である。
【図３】ＰＣＨを利用した遠隔ダウンロードのシーケンスの例を示す図である。
【図４】ＰＣＨを利用した遠隔ダウンロード中にハンドオフが発生した場合のシーケンスの例を示す図である。
【図５】ＦＡＣＣＨを利用した遠隔ダウンロードのシーケンスの例を示す図である。
【図６】ＦＡＣＣＨを利用した遠隔ダウンロード中にハンドオフが発生した場合のシーケンスの例を示す図である。
【図７】基地局と移動局との通信に使用されるフレームの構成の例を示す図である。
【発明を実施するための形態】
【００１７】
本発明に係る無線通信システムについて、図面を参照して説明する。
図１には、無線通信システムの一例である防災無線システムのシステム構成例を示してある。図２には、防災無線システムにおける統制局設備の構成例を示してある。
本例の防災無線システムは、概略的に、統制局１０１や基地局１０２を有する統制局設備と、移動局１０３や固定端末局１０４といった端末局を有する端末局設備とにより構成されている。本例では、基地局１０２、移動局１０３、固定端末局１０４をそれぞれ２台ずつ備えているが、これらの台数は任意である。
【００１８】
統制局１０１は、都道府県または市町村の機関などに設置される局であり、通信統制を行う統制台２０３等の地上回線と移動無線回線との接続制御などを行う。
基地局１０２は、有線回線を用いて統制局制御装置２０１と接続し、統制局１０１とは別の局舎などの複数の拠点に設置され、自局のゾーン（無線通信エリア）内に存する端末局（移動局１０３や固定端末局１０４）との無線通信、或いは端末局−端末局の無線中継を行う。
【００１９】
移動局１０３は、主に陸上を移動して用いられ、基地局１０２や他の端末局との無線通信を行う。移動局１０３は、車両等の移動体に搭載されて移動し、または、人に所持されて移動する。
固定局端末１０４は、県または市町村の出先機関及び防災関係機関などに固定して設置され、移動局１０３と同様に、基地局１０２や他の端末局との無線通信を行う。
また、各端末局は、基地局１０２を介して統制局１０１と通信することもできる。
【００２０】
統制局制御装置２０１は、統制台２０３、ＰＢＸ（構内交換機）等の地上回線と端末局との呼管理、通信統制等の制御を行う。
運用管理装置２０２は、防災無線システムの動作を定義するシステム情報、端末局の通信情報の管理、及び防災無線システムの保守制御を行う。
統制台２０３は、端末局に対して通信統制等の指示を行う。
【００２１】
以下では、移動局１０３を例に挙げて端末局の動作を説明するが、固定局端末１０４においても同様であることは言うまでもない。
図７には、基地局１０２と移動局１０３との通信に使用されるフレームの構成の例を示してある。（ａ）は、無線回線の接続制御のために使用される制御チャネルのフレーム構成の例であり、（ｂ）は、通話のための通信チャネルのフレーム構成の例である。
【００２２】
制御チャネルのフレームは、６ビットのＲ（バースト過渡応答用ガード時間）、２ビットのＰ（プリアンブル）、１１２ビットのＣＡＣ／Ｅ（制御信号／衝突制御ビット）、２０ビットのＳＷ（同期ワード）、２ビットのＣＩ（キャリア情報）、６ビットのＣＣ（カラーコード（干渉対策コード））、１６８ビットのＣＡＣ／Ｅ（制御信号／衝突制御ビット）、４ビットのＩ（アイドルビット）の合計３２０ビットで構成されている。
ここで、ＣＡＣ（制御信号）は、ＰＣＨ（一斉呼出チャネル）、ＢＣＣＨ（報知チャネル）、ＳＣＣＨ（個別ゾーン用シグナリングチャネル）を含んでいる。
【００２３】
通信チャネルのフレームは、６ビットのＲ（バースト過渡応答用ガード時間）、２ビットのＰ（プリアンブル）、１１２ビットのＴＣＨ（トラヒックチャネル）又はＦＡＣＣＨ（高速付随制御チャネル）、２０ビットのＳＷ（同期ワード）、２ビットのＣＩ（キャリア情報）、６ビットのＣＣ（カラーコード（干渉対策コード））、２０ビットの低速付随制御チャネル（ＳＡＣＣＨ）又はＲＣＨ（ハウスキーピングチャネル）、１４４ビットのＴＣＨ（トラヒックチャネル）又はＦＡＣＣＨ（高速付随制御チャネル）、８ビットのＢ／Ｉ（ビジー／アイドルビット）の合計３２０ビットで構成されている。
【００２４】
本例の防災無線システムでは、移動局１０３の動作に関わる各種の設定ファイル（例えば、プログラム、コンフィグファイル等の定義ファイル、電話帳データ等）に変更が生じた場合に、統制局１０１が基地局１０２を介して設定ファイルを各移動局１０３に送信する遠隔ダウンロードを行う。
【００２５】
本例では、制御チャネルのＰＣＨを利用して設定ファイルを送信する低速の遠隔ダウンロード、または、通信チャネルのＦＡＣＣＨを使用して設定ファイルを送信する高速の遠隔ダウンロードを、運用管理装置２０２で選択できるようにしてある。
低速の遠隔ダウンロードまたは高速の遠隔ダウンロードのいずれを行うかは、運用管理装置２０２の操作者が選択してもよく、或いは、設定ファイルの種類、変更内容の重要性や緊急度などの種々の要因を所定の基準に照らして運用管理装置２０２が自動的に選択してもよい。
【００２６】
図３には、ＰＣＨを利用した低速の遠隔ダウンロードのシーケンスの例を示してある。
第１の基地局１０２のゾーンに存する第１の移動局１０３は、統制局制御装置２０１宛の位置登録要求を第１の基地局１０２へ送信する（ステップ３０１）。また、第２の基地局１０２のゾーンに存する第２の移動局１０３は、統制局制御装置２０１宛の位置登録要求を第２の基地局１０２へ送信する（ステップ３０３）。
第１及び第２の基地局１０２は、受信した位置登録要求を統制局制御装置２０１へ転送する（ステップ３０２，３０４）。
【００２７】
統制局制御装置２０１は、第１又は第２の基地局１０２を経由して受信した位置登録要求に基づいて、第１及び第２の移動局１０３の位置情報（移動局と基地局の紐付け）を登録する（ステップ３０５）。すなわち、第１の基地局１０２の配下に第１の移動局１０３を登録し、第２の基地局１０２の配下に第２の移動局１０３を登録する。また、統制局制御装置２０１は、対象基地局情報を更新する（ステップ３０６）。本例では、第１及び第２の移動局１０３はいずれもグループ００に登録されており、グループ００の対象基地局情報を第１及び第２の基地局１０２とする。
【００２８】
運用管理装置２０２は、ダウンロード種別としてＰＣＨを選択し、ダウンロード対象としてグループ００を選択して（ステップ３０７）、ダウンロードデータである設定ファイルをＮ分割（Ｎは２以上の整数）する（ステップ３０８）。その後、運用管理装置２０２は、ダウンロードデータ（１／Ｎ）を含むファイルダウンロード情報を設定したリモートメンテナンス要求を統制局制御装置２０１へ送信する（ステップ３０９）。ここで、ダウンロードデータ（ｎ／Ｎ）は、ダウンロードデータをＮ分割したうちのｎ番目のデータを意味する。
【００２９】
統制局制御装置２０１は、グループ００の対象基地局である第１及び第２の基地局１０２へファイルダウンロード情報を転送する（ステップ３１０）。ファイルダウンロード情報の転送は、ＡＲＩＢ  ＳＴＤ−Ｔ７９に規定されている免許人固有情報を利用して行われる。
第１の基地局１０２は、統制局制御装置２０１から免許人固有情報を受信すると（ステップ３１１）、免許人固有情報を制御チャネルのＰＣＨに格納して第１の移動局１０３へ転送する（ステップ３１２）。また、第２の基地局１０３は、統制局制御装置２０１から免許人固有情報を受信すると（ステップ３１４）、免許人固有情報を制御チャネルのＰＣＨに格納して第２の移動局１０３へ転送する（ステップ３１５）。
【００３０】
第１及び第２の移動局１０３は、受信した免許人固有情報からダウンロードデータ（１／Ｎ）を取得してメモリへ保存する（ステップ３１３，３１６）。なお、免許人固有情報にはグループ番号が設定されており、移動局１０３には予めグループ番号が登録されているので、免許人固有情報を受信した第１及び第２の移動局１０３は自身に登録されているグループ番号（本例ではグループ００）に一致した免許人固有情報からのみダウンロードデータを保存する。
統制局制御装置２０１は、ファイルダウンロード情報の送信後、運用管理装置２０２へリモートメンテナンス応答（正常応答）を送信する（ステップ３１７）。
【００３１】
上記のステップ３０９〜３１７と同様のダウンロード処理を、Ｎ分割した残りのダウンロードデータについても同様に行う（ステップ３１８〜３２６）。
Ｎ分割した全てのダウンロードデータを送信した後は、運用管理装置２０２は、予め指定されている指定回数または指定時間まで、ステップ３０９〜３２６の一連のダウンロードデータ処理を繰り返す（ステップ３２７）。第１及び第２の基地局１０２と第１及び第２の移動局１０３の間の区間は無線区間であり、制御チャネルのＰＣＨに格納された免許人固有情報が必ず第１及び第２の移動局１０３へ到達するわけではないので、送信を繰り返すことで、Ｎ分割されたダウンロードデータがより確実に第１及び第２の移動局１０３へ到達するようにする。
【００３２】
その後、運用管理装置２０２は、グループ００を対象にした更新指示情報を設定したリモートメンテナンス要求を統制局制御装置２０１へ送信する（ステップ３２８）。
統制局制御装置２０１は、更新指示情報に設定されているグループ００の対象である第１及び第２の基地局１０２へ更新指示情報を転送する（ステップ３２９）。更新指示情報の転送は、ＡＲＩＢ  ＳＴＤ−Ｔ７９に規定されている免許人固有情報を利用して行われる。
【００３３】
第１の基地局１０２は、統制局制御装置２０１から免許人固有情報を受信すると（ステップ３３０）、免許人固有情報を制御チャネルのＰＣＨに格納して第１の移動局１０３へ転送する（ステップ３３１）。また、第２の基地局１０３は、統制局制御装置２０１から免許人固有情報を受信すると（ステップ３３３）、免許人固有情報を制御チャネルのＰＣＨに格納して第２の移動局１０３へ転送する（ステップ３３４）。
第１及び第２の移動局１０３は、受信した免許人固有情報から更新指示情報を取得すると、Ｎ分割したダウンロードデータを全て受信している場合は、これらを結合して得られる元のダウンロードデータ（設定ファイル）を適用するため、ファイル更新を行う（ステップ３３２，３３５）。
【００３４】
統制局制御装置２０１は、更新指示情報の送信後、運用管理装置２０２へリモートメンテナンス応答（正常応答）を送信する（ステップ３３６）。
運用管理装置２０２は、予め指定されている指定回数または指定時間まで更新指示情報の送信を繰り返す（ステップ３３７）。このように更新指示情報の送信を繰り返すことで、更新指示情報がより確実に第１及び第２の移動局１０３へ到達するようにする。
【００３５】
その後、運用管理装置２０２は、グループ００を対象にしたバージョン確認情報を設定したリモートメンテナンス要求を統制局制御装置２０１へ送信する（ステップ３３８）。
統制局制御装置２０１は、バージョン確認情報に設定されているグループ００の対象である第１及び第２の基地局１０２へバージョン確認情報を転送する（ステップ３３９）。バージョン確認情報の転送は、ＡＲＩＢ  ＳＴＤ−Ｔ７９に規定されている免許人固有情報を利用して行われる。
【００３６】
第１の基地局１０２は、統制局制御装置２０１から免許人固有情報を受信すると（ステップ３４０）、免許人固有情報を制御チャネルのＰＣＨに格納して第１の移動局１０３へ転送する（ステップ３４１）。また、第２の基地局１０３は、統制局制御装置２０１から免許人固有情報を受信すると（ステップ３４２）、免許人固有情報を制御チャネルのＰＣＨに格納して第２の移動局１０３へ転送する（ステップ３４３）。
統制局制御装置２０１は、バージョン確認情報の送信後、運用管理装置２０２へリモートメンテナンス応答（正常応答）を送信する（ステップ３４４）。
【００３７】
第１及び第２の移動局１０３は、受信した免許人固有情報からバージョン確認情報を取得すると、自身に適用中のバージョン情報（ダウンロードデータに基づくファイル更新後の設定ファイルのバージョン情報）を免許人固有情報に設定して制御チャネルのＰＣＨで統制局制御装置２０１宛に送信する（ステップ３４５，３４８）。
第１及び第２の基地局１０２は、受信した免許人固有情報を統制局制御装置２０１へ転送する（ステップ３４６，３４９）。
【００３８】
統制局制御装置２０１は、免許人固有情報からバージョン情報を取得し、リモートメンテナンス通知に設定して運用管理装置２０２へ送信する（ステップ３４７，３５０）。
運用管理装置２０２は、受信したバージョン情報を第１及び第２の移動局１０３の個別番号毎に画面に表示する（ステップ３５１）。なお、運用管理装置２０２は、バージョン確認情報を設定したリモートメンテナンス要求に関しては、繰り返し送信を行わない。繰り返し送信することで、第１及び第２の移動局１０３は何度も同じバージョン情報を第１及び第２の基地局１０２へ送信することになり、無線区間のトラフィックが上昇してしまう可能性があるためである。運用管理装置２０２でバージョン情報を取得できない場合は、ユーザの指示を契機に、バージョン情報の取得に係る処理（ステップ３３８〜３５１）を行う。
【００３９】
ここで、運用管理装置２０２は、ダウンロード対象として、グループの指定（本例ではグループ００）ではなく、移動局１０３の個別番号を指定することも可能であり、その場合も基本的に本シーケンスと同様の手順となる。例えば、第１の移動局１０３の個別番号のみを指定した場合には、ステップ３１０，３１９，３２９，３３９において、位置登録情報に第１の移動局１０３との紐付けが設定されている第１の基地局１０２のみが送信対象となる。
【００４０】
図４には、ＰＣＨを利用した低速の遠隔ダウンロード中にハンドオフが発生した場合のシーケンスの例を示してある。
ここでは、ダウンロードデータ（１／Ｎ）のダウンロード処理の後で、第２の移動局１０３が第２の基地局１０２のゾーンから第１の基地局１０１のゾーンへ移動したとする。なお、ダウンロードデータ（１／Ｎ）のダウンロード処理が完了するまでのステップ４０１〜４１７のシーケンスは、図３のステップ３０１〜３１７のシーケンスと同じであるため、説明を省略する。
【００４１】
第２の移動局１０３は、ダウンロードシーケンスの実行中に第２の基地局１０２のゾーンから第１の基地局１０１のゾーンへ移動すると、統制局制御装置２０１宛の位置登録要求を第１の基地局１０２へ送信する（ステップ４１８）。
第１の基地局１０２は、受信した位置登録要求を統制局制御装置２０１へ転送する（ステップ４１９）。
【００４２】
統制局制御装置２０１は、第１の基地局１０２を経由して受信した位置登録要求に基づいて、第２の移動局１０３の位置情報（移動局と基地局の紐付け）を更新する（ステップ４２０）。すなわち、第１の基地局１０２の配下に第２の移動局１０３を追加し、第２の基地局１０２の配下から第２の移動局１０３を削除する。これにより、グループ００に属する第１及び第２の基地局１０３がともに第１の基地局１０２の配下となり、グループ００の対象基地局情報は第１の基地局１０２のみとなる。
【００４３】
その後、統制局制御装置２０１は、ダウンロードデータ（２／Ｎ）を含むファイルダウンロード情報を設定したリモートメンテナンス要求を運用管理装置２０２から受信したことに応じて（ステップ４２１）、グループ００の対象基地局である第１の基地局１０２へ免許人固有情報を利用してファイルダウンロード情報を転送する（ステップ４２２）。
【００４４】
第１の基地局１０２は、統制局制御装置２０１から免許人固有情報を受信すると（ステップ４２３）、免許人固有情報を制御チャネルのＰＣＨに格納して第１及び第２の移動局１０３へ転送する（ステップ４２４）。
第１及び第２の移動局１０３は、受信した免許人固有情報からダウンロードデータ（２／Ｎ）を取得してメモリへ保存する（ステップ４２５，４２６）。
統制局制御装置２０１は、ファイルダウンロード情報の送信後、運用管理装置２０２へリモートメンテナンス応答（正常応答）を送信する（ステップ４２７）。
その後の処理は、グループ００の対象基地局が第１の基地局１０２のみであることを除き、図３のステップ３１８以降のシーケンスと同じであるため、説明を省略する。
【００４５】
図５には、ＦＡＣＣＨを利用した高速の遠隔ダウンロードのシーケンスの例を示してある。
なお、グループ００の対象基地局情報を更新するまでのステップ５０１〜５０６のシーケンスは、図３のステップ３０１〜３０６のシーケンスと同じであるため、説明を省略する。
【００４６】
運用管理装置２０２は、ダウンロード種別としてＦＡＣＣＨを選択し、ダウンロード対象としてグループ００を選択して（ステップ５０７）、ダウンロードデータである設定ファイルをＮ分割（Ｎは２以上の整数）する（ステップ５０８）。その後、運用管理装置２０２は、ダウンロードデータ（１／Ｎ）を含むファイルダウンロード情報を設定したリモートメンテナンス要求を統制局制御装置２０１へ送信する（ステップ５０９）。ここで、ダウンロードデータ（ｎ／Ｎ）は、ダウンロードデータをＮ分割したうちのｎ番目のデータを意味する。
【００４７】
次いで、統制局制御装置２０１は、グループ００が呼接続状態（呼接続済みで通話可能な状態）であるかを判定する（ステップ５１０）。呼接続状態は呼情報の有無より判別でき、呼情報がある場合は呼接続状態であり、呼情報が無い場合は呼接続状態でない。
グループ００のが呼接続状態でない場合（ステップ５０１；Ｎ）は、統制局制御装置２０１は、リモートメンテナンス応答（異常応答）を運用管理装置２０２へ送信し（ステップ５１１）、グループ００の対象基地局である第１及び第２の基地局１０２へ呼設定を送信する（ステップ５１２）。
【００４８】
第１の基地局１０２は、統制局制御装置２０１から呼設定を受信すると（ステップ５１３）、呼設定を第１の移動局１０３へ転送し（ステップ５１４）、呼設定応答を統制局制御装置２０１へ送信する（ステップ５１５）。また、第２の基地局１０２は、統制局制御装置２０１から呼設定を受信すると（ステップ５１６）、呼設定を第２の移動局１０３へ転送し（ステップ５１７）、呼設定応答を統制局制御装置２０１へ送信する（ステップ５１８）。これにより、グループ００を呼接続状態にする。
【００４９】
運用管理装置２０２は、統制局制御装置２０１からリモートメンテナンス応答（異常応答）を受信すると、同じ内容のリモートメンテナンス要求を統制局制御装置２０１へ再送する（ステップ５１９）。再送した結果、グループ００が呼接続中（ステップ５１２〜５１８の処理中）の場合は、統制局制御装置２０１は、リモートメンテナンス応答（異常応答）を運用管理装置２０２へ送信する（ステップ５１１）。
【００５０】
グループ００が呼接続状態の場合（ステップ５０１；Ｙ）は、統制局制御装置２０１は、グループ００の対象基地局である第１及び第２の基地局１０２へファイルダウンロード情報を転送する（ステップ５２０）。ファイルダウンロード情報の転送は、ＡＲＩＢ  ＳＴＤ−Ｔ７９に規定されている免許人固有情報を利用して行われる。
【００５１】
その後のステップ５２１以降のシーケンスは、図３（ＰＣＨを利用した遠隔ダウンロード）におけるステップ３１１以降のシーケンスと基本的に同様となる。
但し、第１及び第２の基地局１０２から第１及び第２の移動局１０３への免許人固有情報の送信は、通信チャネルのＦＡＣＣＨを用いて行われる。
また、統制局制御装置２０１が運用管理装置２０２からリモートメンテナンス要求を受信するたびにグループ００が呼接続状態であるかを確認し（ステップ５２９）、呼接続状態でない場合はステップ５１１〜５１９の処理を行って呼接続状態にする。
また、ダウンロードシーケンスの実行中に統制局制御装置２０１又は運用管理装置２０２の障害等によりグループ００が解放されてしまった場合でも、ステップ５１０〜５１９の処理を実行することで、ダウンロードシーケンスを自動的に再開する。
【００５２】
図６には、ＦＡＣＣＨを利用した高速の遠隔ダウンロード中にハンドオフが発生した場合のシーケンスの例を示してある。
ここでは、ダウンロードデータ（１／Ｎ）のダウンロード処理の後で、第２の移動局１０３が第２の基地局１０２のゾーンから第１の基地局１０１のゾーンへ移動したとする。なお、ダウンロードデータ（１／Ｎ）のダウンロード処理が完了するまでのステップ６０１〜６２７のシーケンスは、図５のステップ５０１〜５２７のシーケンスと同じであるため、説明を省略する。
【００５３】
第２の移動局１０３は、ダウンロードシーケンスの実行中に第２の基地局１０２のゾーンから第１の基地局１０１のゾーンへ移動すると、統制局制御装置２０１宛の再呼設定要求を第１の基地局１０２へ送信する（ステップ６２８）。
第１の基地局１０２は、受信した再呼設定要求を統制局制御装置２０１へ転送する（ステップ６２９）。
統制局制御装置２０１は、受信した再呼設定要求に基づいて、第２の移動局１０３宛の再呼設定応答を第１の基地局１０２へ送信する（ステップ６３０）。
第１の基地局１０２は、受信した再呼設定応答を第２の移動局１０３へ転送する（ステップ６３１）。
【００５４】
上記のハンドオフシーケンス（ステップ６２８〜６３１）が成功すると、統制局制御装置２０１は、第２の移動局１０３の位置情報（移動局と基地局の紐付け）を更新する（ステップ６３２）。すなわち、第１の基地局１０２の配下に第２の移動局１０３を追加し、第２の基地局１０２の配下から第２の移動局１０３を削除する。これにより、グループ００に属する第１及び第２の基地局１０３がともに第１の基地局１０２の配下となり、グループ００の対象基地局情報は第１の基地局１０２のみとなる。
統制局制御装置２０１は、第２の基地局１０３にはグループ００の移動局が無くなったため、第２の基地局１０３の呼情報を解放する（ステップ６３３，６３４）。
【００５５】
その後、統制局制御装置２０１は、ダウンロードデータ（２／Ｎ）を含むファイルダウンロード情報を設定したリモートメンテナンス要求を運用管理装置２０２から受信したことに応じて（ステップ６３５）、グループ００が呼接続状態であるかを判定し（ステップ６３６）、グループ００が呼接続状態の場合には、グループ００の対象基地局である第１の基地局１０２へ免許人固有情報を利用してファイルダウンロード情報を転送する（ステップ６３７）。
【００５６】
第１の基地局１０２は、統制局制御装置２０１から免許人固有情報を受信すると（ステップ６３８）、免許人固有情報を通信チャネルのＦＡＣＣＨに格納して第１及び第２の移動局１０３へ転送する（ステップ６３９）。
第１及び第２の移動局１０３は、受信した免許人固有情報からダウンロードデータ（２／Ｎ）を取得してメモリへ保存する（ステップ６４０，６４１）。
統制局制御装置２０１は、ファイルダウンロード情報の送信後、運用管理装置２０２へリモートメンテナンス応答（正常応答）を送信する（ステップ６４２）。
その後の処理は、グループ００の対象基地局が第１の基地局１０２のみであることを除き、図５のステップ５１８以降のシーケンスと同じであるため、説明を省略する。
【００５７】
以上のように、本例の防災無線システムは、統制局制御装置２０１及び運用管理装置２０２を含む統制局１０１と、統制局１０１に接続された基地局１０２と、基地局１０２と無線通信を行う端末局１０３とを備えている。
そして、統制局１０１が、端末局１０３の動作に関わる設定ファイルの送信指示を、低速の送信方式又は高速の送信方式の指定とともに基地局１０２へ送信し、基地局１０２が、設定ファイルの送信指示及び送信方式の指定を受信すると、設定ファイルを指定された送信方式に従って端末局１０３へ送信する仕組みとなっている。
【００５８】
したがって、本例の防災無線システムによれば、変更された設定ファイルを端末局１０３に読み込ませる作業を、保守員が端末局１０３の設置場所に赴くことなく実施することができる。しかも、低速の送信方式又は高速の送信方式のいずれかで設定ファイルの送信を行うことができる。また、低速の送信方式（制御チャネルのＰＣＨを使用）の場合には、設定ファイルの送信に際して端末局を保守モードに移行させる必要が無く、端末局の運用を停止せずに済む。また、高速の送信方式（通信チャネルのＦＡＣＣＨを使用）の場合には、より高速に設定ファイルの送信を行うことができる。
【００５９】
また、本例の防災無線システムでは、複数の端末局１０３を予めグループ分けしており、統制局１０１は、複数の端末局１０３に対する設定ファイルの送信やその後の指示を、グループ単位で指定して行えるように構成されている。このため、複数の端末局１０３を対象にした設定ファイルの更新作業を効率よく行うことができる。
【００６０】
また、本例の防災無線システムでは、統制局１０１は、複数の端末局１０３に対する設定ファイルの送信やその後の指示を、端末局１０３を個別に指定して行えるようにも構成されている。このため、特定の端末局１０３のみを対象にした設定ファイルの更新作業にも無駄なく対応することができる。
【００６１】
また、本例の防災無線システムでは、統制局１０１は、複数ある基地局１０２のいずれの配下に端末局１０３が存するかを示す位置情報を保持しており、当該位置情報に基づいて、端末局１０３を配下に有する基地局１０２から設定ファイルを送信させるように構成されている。このため、対象となる端末局１０３を配下に有する基地局１０２だけを用いて設定ファイルの送信を行うことが可能となり、少ない無線リソースを有効に活用できるとともに、運用に対する影響も限定的にすることができる。
【００６２】
また、本例の防災無線システムでは、位置情報が端末局１０３の移動（ハンドオフ）に応じて更新され、統制局１０１は、設定ファイルの送信中に位置情報が更新された場合には、更新後の位置情報に基づいて、設定ファイルの送信に使用する基地局１０２を変更してその後の送信処理を継続するように構成されている。このため、設定ファイルの送信中に端末局１０３が基地局１０２間を移動した場合でも設定ファイルの送信を継続するうことができ、運用に影響を与えずに設定ファイルの送信を行うことができる。
【００６３】
また、本例の防災無線システムでは、統制局１０１は、ＦＡＣＣＨを指定して端末局１０３の設定ファイルを送信する際、対象となる端末局１０３（指定されたグループ番号又は個別番号に該当する端末局１０３）が呼接続状態（呼接続済みで通話可能な状態）である場合は、当該端末局１０３と呼接続を行った基地局１０２から設定ファイルの送信を行い、一方、呼接続状態でない場合は、端末局１０３を配下に有する基地局１０２から当該端末局１０３に対して呼接続を行い、当該端末局１０３を呼接続状態に遷移させた後に、設定ファイルの送信を行うように構成されている。このため、対象となる端末局１０３が呼接続状態でなかったとしても、設定ファイルの送信に支障がない。
【００６４】
また、本例の防災無線システムでは、統制局１０１は、ＦＡＣＣＨを指定して端末局１０３の設定ファイルを送信する際、対象となる端末局１０３が呼接続の処理中である場合は、設定ファイルの送信を待機し、当該端末局１０３が呼接続状態に遷移した後に設定ファイルの送信を行うように構成されている。このため、対象となる端末局１０３が呼接続の処理中であったとしても、設定ファイルの送信に支障がない。
【００６５】
また、本例の防災無線システムでは、統制局１０１は、ＦＡＣＣＨを指定して端末局１０３の設定ファイルを送信中に、対象となる端末局１０３との呼接続が解放された場合には、端末局１０３を配下に有する基地局１０２から当該端末局１０３に対して呼接続を行い、当該端末局１０３を呼接続状態に遷移させた後に、設定ファイルの送信を再開するように構成されている。このため、設定ファイルの送信中に設備障害等により呼接続が解放されたとしても、障害等の復旧後に自動的に呼接続をやり直して設定ファイルの送信を再開することができる。
【００６６】
また、本例の防災無線システムでは、統制局１０１は、設定ファイルの送信指示を、所定の時間又は回数に到達するまで基地局１０２へ繰り返して送信するように構成されている。このため、基地局１０２と端末局１０３の間が無線区間でありながら、設定ファイルをより確実に端末局へ送信できるようになる。
【００６７】
また、本例の防災無線システムでは、統制局１０１は、設定ファイルの送信後に、設定ファイルの更新指示を基地局１０２から端末局１０３へ送信させ、端末局１０３は、設定ファイルの更新指示を受信したことに応じて、受信済みの設定ファイルの適用を行うように構成されている。このため、端末局１０３に送信した変更後の設定ファイルを適用する作業を、保守員が端末局１０３の設置場所に赴くことなく実施することができる。
【００６８】
また、本例の防災無線システムでは、統制局１０１は、設定ファイルのバージョン情報の要求指示を基地局１０２から端末局１０３へ送信させ、端末局１０３は、設定ファイルのバージョン情報の要求指示を受信したことに応じて、適用された設定ファイルのバージョン情報を基地局１０２を通じて統制局１０１へ送信し、統制局１０１は、端末局１０３から受信したバージョン情報を表示するように構成されている。このため、統制局１０１の操作者は、端末局１０３に適用されている設定ファイルのバージョンを確認することができ、設定ファイルが正常に更新されたか等を把握できるようになる。
【００６９】
なお、本発明に係るシステムや装置などの構成としては、必ずしも以上に示したものに限られず、種々な構成が用いられてもよい。
また、本発明は、例えば、本発明に係る処理を実行する方法や方式、このような方法や方式を実現するためのプログラムや当該プログラムを記憶する記憶媒体などとして提供することも可能である。
【産業上の利用可能性】
【００７０】
本発明は、統制局と、統制局に接続された基地局と、基地局と無線通信を行う端末局とを備えた種々の無線通信システムに利用することができる。
【符号の説明】
【００７１】
１０１：統制局、  １０２：基地局、  １０３：移動局または固定局端末、
２０１：統制局制御装置、  ２０２：運用管理装置、  ２０３：統制台
【図１】
0006577796.tif 000002
【図２】
0006577796.tif 000003
【図３Ａ】
0006577796.tif 000004
【図３Ｂ】
0006577796.tif 000005
【図４】
0006577796.tif 000006
【図５Ａ】
0006577796.tif 000007
【図５Ｂ】
0006577796.tif 000008
【図６Ａ】
0006577796.tif 000009
【図６Ｂ】
0006577796.tif 000010
【図７】
0006577796.tif 000011